(57)【要約】  食品の安全ラベルを印刷するためのデュアルポートプリンタ装置を提供する構成が提示されている。デュアルポートプリンタは、多様な幅の供給ロールを収容し、印刷されたラベルが排出される２つのポートとタッチパネルスクリーンとを含む。具体的に、タッチパネルスクリーンは、ピボット型前方ドアの中央に位置し、印刷されたラベルは、タッチパネルスクリーン下のドアの下部から排出される。また、デュアルポートプリンタ装置は、最小幅と最大幅の制限内の任意の幅の供給ロールを収容しやすい取り外し可能な供給フランジと、ラベルを印刷するために供給紙を供給ロールから印刷モジュールに案内し得る調節可能な給紙シュートとを含む。
2016504250.tif 000002
【特許請求の範囲】
【請求項１】
供給ロールとともに用いるためのデュアルポートプリンタ装置であって、
ドアと、
印刷された素材が排出される少なくとも１つのポートと、
タッチパネルスクリーンと、
少なくとも１つの分離可能な供給フランジと、
調節可能な給紙シュートと、
少なくとも１つの供給ロールと、
印刷モジュールとを含み、
タッチパネルスクリーン及び少なくとも１つのポートは、ドアに沿って位置し、
少なくとも１つの分離可能な供給フランジは、供給ロールが収容できるように調節可能であり、調節可能な給紙シュートは、印刷された素材を生成するために供給紙を供給ロールから印刷モジュールに案内するデュアルポートプリンタ装置。
【請求項２】
ドアが少なくとも１つの開口及び中央部を有する請求項１に記載のデュアルポートプリンタ装置。
【請求項３】
タッチスクリーンがドアの中央部に位置し、供給紙がタッチパネルスクリーン下のドア内の少なくとも１つの開口を介して排出される多数の印刷されたラベルを含む請求項２に記載のデュアルポートプリンタ装置。
【請求項４】
分離可能な供給フランジをさらに含む請求項１に記載のデュアルポートプリンタ装置。
【請求項５】
調節可能な給紙シュートをさらに含む請求項１に記載のデュアルポートプリンタ装置。
【請求項６】
ドアがヒンジ型である請求項１に記載のデュアルポートプリンタ装置。
【請求項７】
装置が、異なる幅の異なる供給ロールを収容する請求項１に記載のデュアルポートプリンタ装置。
【請求項８】
転写ロールをさらに含む請求項１に記載のデュアルポートプリンタ装置。
【請求項９】
転写ロールが装置のドア上にある請求項８に記載のデュアルポートプリンタ装置。
【請求項１０】
所望の大きさ及び幅の供給ロールをデュアルポートプリンタ装置に載置する方法であって、
デュアルポートプリンタと少なくとも１つの供給ロールとを提供するステップと、
デュアルポートプリンタの内部に接近するように、デュアルポートプリンタ上のドアを開放し、内側供給支持用組立体をピボット式で回転させるステップと、
外側供給フランジを分離するステップと、
縁の揃った側面を形成するために固定された内側供給フランジに安着するように中央ハブ上で少なくとも１つの供給ロールを摺動させるステップと、
外側供給フランジを中央ハブ上で摺動させ、少なくとも１つの供給ロールを適所に保持するために外側供給フランジを固定するステップと、
内側供給支持用組立体をデュアルポートプリンタの内部に逆にピボットさせるステップと、
ロックレバーをロック解除位置に約９０°回転させるステップと、
給紙シュートの幅を調節するためにガイドトラックに沿って供給支持用組立体及びロックレバーを水平に摺動させるステップと、
ロックレバーをロック位置に約９０°回転させるステップと、
供給紙を供給ロールから給紙シュートに供給するステップと、
供給紙を印刷モジュールに案内するステップと、
ドアを閉鎖するステップとを含む載置方法。
【請求項１１】
中央ハブが固定されたスピンドル上で回転する請求項１０に記載の載置方法。
【請求項１２】
中央ハブが各端部に軸受面を含む請求項１０に記載の載置方法。
【請求項１３】
中央ハブの端部に固定されたハブリテーナが備えられる請求項１０に記載の載置方法。
【請求項１４】
中央ハブが隠れた面と単一溝とを含む請求項１０に記載の載置方法。
【請求項１５】
ロックレバーがロック位置に約９０°回転すると、ガイドの歯がロックレバーを適所に保持するようにガイドトラックの歯と嵌合する請求項１０に記載の載置方法。
【請求項１６】
印刷モジュールに供給紙を供給するステップが転写ローラにより行われる請求項１０に記載の載置方法。
【請求項１７】
供給用ガイドが内側面を有することにより、供給用ガイドの内側面がロックレバーとともに作動し、ロックレバーが供給用ガイドに回転自在に装着される請求項１０に記載の載置方法。
【請求項１８】
ガイドトラックが供給用ガイドの摺動特徴部を収容するポケットを含む請求項１０に記載の載置方法。
【発明の詳細な説明】
【技術分野】
【０００１】
関連出願の相互参照
本願は、その全体が参照として本願に含まれる２０１３年１月２４日付で出願された米国仮特許出願第６１／７５６，１７５号の利益を主張する。
【背景技術】
【０００２】
食品の安全ラベルは、日付表示された食品によって食中毒を引き起こす病原菌を減少させるのに重要な役割を果たしている。賞味期限が付与された食品は、冷蔵温度で成長し続けるバクテリアであるリステリア・モノサイトゲネス（listeria monocytogenes）などの特定種類のバクテリアの成長を制御するのに役立つ。従って、日付表示する目的は、このバクテリアによって汚染された食品の廃棄を保証することである。しかし、現在の食品の安全表示手段は、並べて配置されたタッチパネルディスプレイと印刷／供給ハンドリング部の双方を含むユニットを開示するが、それによれば、既存のプリンタユニットはかなり大きく、プリンタが最も頻繁に用いられる台所の環境において重要なカウンタースペースを占める広いフットプリント（footprint）を形成する。また、印刷／供給ハンドリング部は、一般的に、大半の既存のプリンタユニットの前方ドア部に収納されて保持されるが、これは前方ドアを重くしてユニット全体を前方に傾きやすくする。さらに、大半の既存のプリンタユニットは、２つの異なる幅のラベル供給ロールのみを収容するように設計されている。従って、多様な幅のラベルまたは他の用紙（stock）を印刷できるプリンタ装置、及び相対的に小さい総フットプリントを有するプリンタ装置が求められ続けている。
【発明の概要】
【課題を解決するための手段】
【０００３】
本発明は、印刷媒体用の多数の排出口を有し、食品の安全ラベルまたは他の用紙を印刷するのに用いられるプリンタを開示している。本発明のプリンタ装置は、多くの多様な幅の供給ロールを収容することができ、好ましい一実施形態において、印刷されたラベルまたは他の用紙が排出される２つのポートと、相対的に容易に作動するためのタッチパネルスクリーンとを含む。多数のまたは二重の排出ポートが提供されるが、プリンタは、単一の媒体供給部のみを有するように構成され、一つの排出口のみを利用してもよいということを理解すべきである。
【０００４】
具体的に、タッチパネルスクリーンは、好ましくはピボット型前方ドアの中央に位置し、印刷された素材は、タッチパネルスクリーン下のドアに沿って下部位置よりプリンタから排出されるが、これは従来技術のユニットよりも小さい幅を有し、そのため、より小さな総フットプリントを有するプリンタ装置を生成する。また、プリンタ装置は、最小幅と最大幅の制限内の任意の幅の供給ロールまたは多数の供給ロールを収容しやすい取り外し可能な供給フランジと、供給紙を供給ロールからラベルまたは他の用紙を印刷するための印刷モジュールに案内する調節可能な給紙シュートとを含む。
【０００５】
要約
開示されている発明のいくつかの側面の基本的な理解を提供するために、以下では簡略な要約が提示されている。この要約は、広範囲な概要ではなく、主要な／重要な構成要素を規定したり、その範囲を詳細に記述するように意図していない。唯一の目的は、以下に提示されるより詳細な説明の冒頭として簡単な形式で一部の概念を提示するものである。
【０００６】
本明細書に開示され請求される発明は、一側面において、供給ロールの載置を容易にするためのヒンジ型前方ドアを含み、１つ以上の排出口を有し得る、食品の安全ラベルまたは他の用紙を印刷するためのプリンタ装置を含む。プリンタは、多様な幅の供給ロールを収容し、一実施形態において、印刷されたラベルが排出される２つのポートとタッチパネルスクリーンとを含む。具体的に、タッチパネルスクリーンはピボット型前方ドアの中央に位置し、印刷されたラベルはタッチパネルスクリーン下のドア下部から排出される。また、プリンタ装置は、最小幅と最大幅の制限内の任意の幅の供給ロールを収容しやすい取り外し可能な供給フランジを含む。
【０００７】
例えば、供給ロールは、縁が揃った側面を形成するために固定された内側供給フランジに安着するまで、中央ハブ上で摺動可能である。続いて、外側供給フランジは、装置の作動のために適切な位置に供給ロールを保持できるように中央ハブに摺動して取り外し可能に固定される。供給ロールが中央ハブに載置され、供給フランジに固定されると、続いて、ユーザは、プリンタハウジングの空洞内に支持用組立体を再度ピボットする。次いで、ユーザは、供給紙をロールから給紙シュートに載置する。しかし、供給紙は支持用組立体がプリンタハウジングの空洞内に再度ピボットする前または後に給紙シュートに載置できる。
【０００８】
好ましい一実施形態において、プリンタ装置はロックレバーをさらに含み、ユーザはロックレバーをロック解除位置に移動させることで給紙シュートの幅を調節することができる。ロックレバーがロック解除位置にあれば、ユーザは、可変幅の供給ロールを収容できるように供給用ガイド及び給紙シュートの幅を調節するために、ガイドトラックに沿って供給用ガイド／ロックレバー組立体を水平に摺動させることができる。所望の幅に達すると、ユーザはロックレバーをロック位置に時計回りまたは反時計回りに約９０°回転させる。幅が調節されロックレバーが固定されてロック位置にあれば、ユーザは、供給紙を給紙シュートの開口に供給する。転写ローラは供給紙と接触して印刷モジュールに案内し、次にユーザは装置の前方ドアを閉鎖して、印刷を開始する。
【０００９】
上述の目的及び関連する目的の達成のために、以下の説明及び添付図面に関して開示されている発明の幾つかの例示的な側面が本願に説明されている。しかし、かかる側面は、本願に開示されている原理が使用でき、全てのそのような側面とその均等物とを含むように意図された様々な方式の一部を示すだけである。他の利点及び独創的な特徴は、図面とともに考慮されるとき、次の詳細な説明から明らかになるであろう。
【図面の簡単な説明】
【００１０】
【図１】開示されている構成による前方ドアが閉鎖されたデュアルポートプリンタ装置の斜視図を示す。
【図２】開示されている構成による前方ドアが開放されたデュアルポートプリンタ装置の斜視図を示す。
【図３】開示されている構成による前方ドアが開放され、内側供給支持用組立体が外側にピボットし供給ロールが載置及び固定されているデュアルポートプリンタ装置の斜視図を示す。
【図４】開示されている構成による前方ドアが開放され、内側供給支持用組立体が外側にピボットし供給ロールが載置及び固定されているデュアルポートプリンタ装置の斜視図を示す。
【図５】開示されている構成による前方ドアが開放され、内側供給支持用組立体が外側にピボットし供給ロールが載置及び固定されているデュアルポートプリンタ装置の斜視図を示す。
【図６】開示されている構成による前方ドアが開放され、内側供給支持用組立体が外側にピボットし供給ロールが載置及び固定されているデュアルポートプリンタ装置の斜視図を示す。
【図７】開示されている構成による前方ドアが開放され、内側供給支持用組立体が外側にピボットし供給ロールが載置及び固定されているデュアルポートプリンタ装置の斜視図を示す。
【図８】開示されている構成による前方ドアが開放され、内側供給支持用組立体が外側にピボットし供給ロールが載置及び固定されているデュアルポートプリンタ装置の斜視図を示す。
【図９】開示されている構成による前方ドアが開放され、内側供給支持用組立体がプリンタ装置の内部に逆にピボットしているデュアルポートプリンタ装置の斜視図を示す。
【図１０】開示されている構成による給紙シュート内に載置された供給ロールの供給紙の斜視図を示す。
【図１１】開示されている構成による供給ロールと中央ハブを示すデュアルポートプリンタ装置の内部の横断面図を示す。
【図１２】開示されている構成による供給ロールと中央ハブを示すデュアルポートプリンタ装置の内部の横断面図を示す。
【図１３】開示されている構成による中央ハブの斜視図を示す。
【図１４】開示されている構成による供給フランジの斜視図を示す。
【図１５】開示されている構成による供給フランジの前面図を示す。
【図１６】開示されている構成による供給フランジの前面図を示す。
【図１７】開示されている構成による転写ローラ及び給紙シュートの斜視図を示す。
【図１８】開示されている構成によるロックレバー及び案内トラックの斜視図を示す。
【図１９】開示されている構成によるロックレバー及び案内トラックの斜視図を示す。
【図２０】開示されている構成による転写ローラ、給紙シュート及びロックレバーの前面図を示す。
【図２１】開示されている構成による転写ローラ、給紙シュート及びロックレバーの前面図を示す。
【図２２】開示されている構成によるデュアルポートプリンタ装置及びプリンタ装置に供給ロールを載置するユーザを示す。
【図２３】開示されている構成によるデュアルポートプリンタ装置及びプリンタ装置に供給ロールを載置するユーザを示す。
【図２４】開示されている構成によるデュアルポートプリンタ装置及びプリンタ装置に供給ロールを載置するユーザを示す。
【図２５】開示されている構成によるデュアルポートプリンタ装置及びプリンタ装置に供給ロールを載置するユーザを示す。
【図２６】開示されている構成によるデュアルポートプリンタ装置及びプリンタ装置に供給ロールを載置するユーザを示す。
【図２７】開示されている構成によるデュアルポートプリンタ装置及びプリンタ装置に供給ロールを載置するユーザを示す。
【図２８】開示されている構成によるデュアルポートプリンタ装置及びプリンタ装置に供給ロールを載置するユーザを示す。
【図２９】開示されている構成によるデュアルポートプリンタ装置及びプリンタ装置に供給ロールを載置するユーザを示す。
【図３０】開示されている構成によるデュアルポートプリンタ装置及びプリンタ装置に供給ロールを載置するユーザを示す。
【図３１】開示されている構成によるデュアルポートプリンタ装置及びプリンタ装置に供給ロールを載置するユーザを示す。
【図３２】開示されている構成によるデュアルポートプリンタ装置及びプリンタ装置に供給ロールを載置するユーザを示す。
【図３３】開示されている構成によるデュアルポートプリンタ装置及びプリンタ装置に供給ロールを載置するユーザを示す。
【図３４】開示されている構成によるデュアルポートプリンタ装置及びプリンタ装置に供給ロールを載置するユーザを示す。
【図３５】開示されている構成によるデュアルポートプリンタ装置及びプリンタ装置に供給ロールを載置するユーザを示す。
【図３６】開示されている構成によるデュアルポートプリンタ装置及びプリンタ装置に供給ロールを載置するユーザを示す。
【図３７】開示されている構成によるデュアルポートプリンタ装置及びプリンタ装置に供給ロールを載置するユーザを示す。
【図３８】開示されている構成によるデュアルポートプリンタ装置及びプリンタ装置に供給ロールを載置するユーザを示す。
【図３９】開示されている構成によるデュアルポートプリンタ装置及びプリンタ装置に供給ロールを載置するユーザを示す。
【図４０】開示されている構成によるデュアルポートプリンタ装置及びプリンタ装置に供給ロールを載置するユーザを示す。
【図４１】開示されている構成によるデュアルポートプリンタ装置及びプリンタ装置に供給ロールを載置するユーザを示す。
【図４２】開示されている構成によるデュアルポートプリンタ装置及びプリンタ装置に供給ロールを載置するユーザを示す。
【図４３】開示されている構成によるデュアルポートプリンタ装置及びプリンタ装置に供給ロールを載置するユーザを示す。
【図４４】開示されている構成によるデュアルポートプリンタ装置及びプリンタ装置に供給ロールを載置するユーザを示す。
【図４５】開示されている構成によるデュアルポートプリンタ装置及びプリンタ装置に供給ロールを載置するユーザを示す。
【図４６】開示されている構成によるデュアルポートプリンタ装置及びプリンタ装置に供給ロールを載置するユーザを示す。
【図４７Ａ】開示されている構成によるデュアルポートプリンタ装置及びプリンタ装置に供給ロールを載置するユーザを示す。
【図４７Ｂ】開示されている構成によるデュアルポートプリンタ装置及びプリンタ装置に供給ロールを載置するユーザを示す。
【図４７Ｃ】開示されている構成によるデュアルポートプリンタ装置及びプリンタ装置に供給ロールを載置するユーザを示す。
【図４７Ｄ】開示されている構成によるデュアルポートプリンタ装置及びプリンタ装置に供給ロールを載置するユーザを示す。
【図４７Ｅ】開示されている構成によるデュアルポートプリンタ装置及びプリンタ装置に供給ロールを載置するユーザを示す。
【図４８Ａ】開示されている構成によるデュアルポートプリンタ装置及びプリンタ装置に供給ロールを載置するユーザを示す。
【図４８Ｂ】開示されている構成によるデュアルポートプリンタ装置及びプリンタ装置に供給ロールを載置するユーザを示す。
【図４９Ａ】開示されている構成によるデュアルポートプリンタ装置及びプリンタ装置に供給ロールを載置するユーザを示す。
【図４９Ｂ】開示されている構成によるデュアルポートプリンタ装置及びプリンタ装置に供給ロールを載置するユーザを示す。
【図４９Ｃ】開示されている構成によるデュアルポートプリンタ装置及びプリンタ装置に供給ロールを載置するユーザを示す。
【図４９Ｄ】開示されている構成によるデュアルポートプリンタ装置及びプリンタ装置に供給ロールを載置するユーザを示す。
【図４９Ｅ】開示されている構成によるデュアルポートプリンタ装置及びプリンタ装置に供給ロールを載置するユーザを示す。
【図５０Ａ】開示されている構成による供給フランジの追加の図を示す。
【図５０Ｂ】開示されている構成による供給フランジの追加の図を示す。
【図５１】開示されている構成による中央ハブの追加の図を示す。
【図５２Ａ】本発明のデュアルポートプリンタ装置における供給経路内への転写ローラの嵌合を示す。
【図５２Ｂ】本発明のデュアルポートプリンタ装置における供給経路内への転写ローラの嵌合を示す。
【発明を実施するための形態】
【００１１】
以下、図面を参照して本発明を説明し、全体的に同じ参照番号は同じ構成要素を指すために用いられる。以下の説明では、説明の目的上、多様且つ具体的な詳細項目が完全な理解を提供するために提示されている。しかし、本発明がこれらの具体的な詳細項目がなくとも実行できるということは明らかであろう。他の場合において、説明を容易にするために、よく知られている構造および装置は、ブロック図の形式で示されている。
【００１２】
本発明は、食品の安全ラベルまたは他の素材を印刷するための１つ以上のポートを有し得るプリンタ装置を開示している。プリンタは、多様な幅の供給ロールを収容し、一実施形態において、印刷された素材が排出される２つのポートとタッチパネルスクリーンとを有する。具体的に、タッチパネルスクリーンは好ましくはピボット型前方ドアの中央に位置し、印刷されたラベルはタッチパネルスクリーン下のドアの開口を介して排出されるが、これは従来技術のユニットよりも小さい幅を有し、そのため、より小さな総フットプリントを有するプリンタ装置を生成する。また、デュアルポートプリンタ装置は、最小幅と最大幅の制限内の任意の幅の供給ロールを収容しやすい取り外し可能な供給フランジと、供給紙を供給ロールから印刷するための印刷モジュールまで案内する調節可能な給紙シュートとを含む。
【００１３】
まず、図を参照すると、図１は、供給ロールの載置を容易にするためにヒンジ型前方ドア１０６を含む、食品の安全ラベルまたは他の素材を印刷するためのデュアルポートプリンタ装置１００を示している。プリンタ１００は、多様な幅の供給ロールを収容し、印刷されたラベルが排出される２つのポート１０２，１０２ａと、タッチパネルスクリーンとを含む。好ましい一実施形態において、タッチパネルスクリーン１０４は、ピボット型前方ドア１０６の中央に位置し、印刷されたラベルは、タッチパネルスクリーン１０４下のドア１０６の下部から排出される。従来技術では、供給紙（supply web）は、図５２に示すようにプリンタドア８２０上の相対的に高い地点８４０でプリンタ８００から排出されなければならなかった。しかし、プリンタドア８２０上に位置している本発明の転写ローラ８１０により、供給紙は以前のプリンタよりもプリンタドア８２０上の相対的に低い地点８５０でプリンタに出入りできる。供給紙８３０の方向を載置経路内に変更するためにプリンタドア８２０を閉鎖すると、プリンタドア上の転写ローラ８１０はプリンタ８００内の位置にピボットする。転写ローラ８１０をプリンタドア上に位置させることで、もし転写ローラ８１０が供給支持部に位置していれば求められ得る、供給紙を転写ローラ下に差し込む必要がなくなる。図５２は、印刷モジュール内に進入するための方向を変更して供給経路に進入する転写ローラ８１０を示している。プリンタドア上にある転写ロールは、エンドユーザが伝統的な供給機として知られている以前のプリンタからの供給紙を容易に利用できるようにしているため好ましい。
【００１４】
本発明によって考慮される他の実施形態において、タッチパネルスクリーン１０４及びポート１０２は、ユーザ及び製造上の要求／好みに応じて前方ドア１０６上のどこにでも位置することができる。プリンタ１００のピボット型前方ドア１０６は、供給ロールの接近を可能にするためにピボットして開放する。
【００１５】
また、図２〜図１６に示すように、デュアルポートプリンタ１００は、最小幅と最大幅の制限内の任意の幅の供給ロール４００を収容しやすい取り外し可能な供給フランジ２００を含む。具体的に、供給ロール４００は、供給ロール４００が進入しやすいように、ヒンジ型前方ドア１０６を開放し、内側供給支持用組立体２０２をユーザ側にピボット式で回転させることにより載置される。しかし、前方ドア１０６は、必ずしもヒンジ型またはピボット型ではなく、スライド式開放、スイング式開放など従来技術に公知の任意の開放機構を用いることができる。また、内側供給支持用組立体２０２は、ヒンジ型前方ドア１０６から独立してピボット可能であり、転写ローラ３１４と給紙シュート３００とに分離されている。従って、ヒンジ型前方ドア１０６が開放された後、内側供給支持用組立体２０２は、供給ロール４００を載置しやすいようにプリンタ１００の内部からユーザ側にピボットされて出て、その後、ユーザからプリンタ１００の内部に逆にピボットできる。内側供給支持用組立体２０２をヒンジ型前方ドア１０６から独立してピボット可能にすることは、ヒンジ型前方ドア１０６からの過度な重量を取り除き、供給紙を供給ロール４００から依然開放されているヒンジ型前方ドア１０６に位置する給紙シュート３００に容易に差し込めるようにする。
【００１６】
また、内側供給支持用組立体２０２は、支持用組立体２０２をユーザ側にピボットするために、ユーザが把持するタブ２０４を含む。さらに、デュアルポートプリンタ１００の内部の縁は、内側供給支持用組立体２０２のピボット距離を制限する停止特徴部２０６を含む。具体的に、ユーザは、タブ２０４を把持し、内側供給支持用組立体２０２をデュアルポートプリンタ２００内部の両側に位置する停止特徴部２０６と接触するまでユーザ側にピボットする。停止特徴部２０６は、支持用組立体２０２がさらに回転することを防止する。支持用組立体２０２がその重心を超えてピボットすると、支持用組立体２０２は開放位置に留まり、ユーザが供給ロール４００を中央ハブ２０８に容易に載置できるようにする。また、ピボット型前方ドア１０６及び支持用組立体２０２は、全体としてピボット軸を共有し、但し、それぞれは一組の分離したヒンジを有する。しかし、ピボット軸を共有することは必須ではなく、デュアルポートプリンタ１００は、前方ドア１０６と支持用組立体２０２が分離したピボット軸を有する状態で作動し得る。
【００１７】
支持用組立体２０２がピボットして開放された後、外側供給フランジ２００が中央ハブ２０８から分離され、ユーザが供給ロール４００を中央ハブ２０８に摺動可能にする。中央ハブ２０８は、（図１２〜図１３に示すように）固定されたスピンドル２１０上で回転し、回転する間、より効果的な回転とより少ない摩擦抵抗とを提供するために、通常、各端部に軸受面２１２を含む。また、中央ハブ２０８の一端には、固定されたスピンドル２１０上に中央ハブ２０８を保持するために固定ハブ保持部２２２が備えられる。さらに、中央ハブ２０８は、一般に、広端部２１４と狭端部２１６とを含む。広端部２１４は軸受面２１２を含み、狭端部２１６は供給フランジ２００を保持する（供給ロール４００は、中央ハブ２０８の全長と共通するシリンダ部によって支持される）。
【００１８】
中央ハブ２０８は、隠れた面２１８ａと、内側供給フランジ２０１を堅固に固定するための単一溝２１８とをさらに含む。単一溝２１８は、一般に、中央ハブ２０８の対向する前側と後側とに位置し得る。内側供給フランジ２０１は、供給ロール４００に対して縁が揃った側面を形成するために固定位置で単一溝２１８に接触することができる。また、中央ハブ２０８は、供給ロール４００を中央ハブ２０８に沿って所望の位置に保持するために、軸方向に外側供給フランジ２００の確実なロック（positive locking）を提供する鋸歯の構成を含む。鋸歯の構成の多数の溝２２０は、供給ロールの幅を変化させることができるようにする。従って、供給フランジ２００，２０１は、２つとも取り外し可能で同様に機能することができ、相違点は、外側供給フランジ２００が複数の溝２２０内で作動し、内側供給フランジ２０１が固定されたショルダー２１８ａにもたれかかって単一溝２１８内で作動する点である。これは、位置合わせ用の縁が中央ハブ２０８の内側か外側かに関係なく、同じセットの部品を使用できるようにする。
【００１９】
続いて、外側供給フランジ２００は、中央ハブ２０８上で摺動し、供給ロール４００を適所に保持するように固定される。外側供給フランジ２００は、（図５０に示すように）広開口２２４と狭開口２２６とを含む。広開口２２４は、供給フランジ２００が回転型中央ハブ２０８の広端部２１４を通って容易に摺動するようにする。広開口２２４の壁２２８は、通常、戻り止め（detent）に必要な屈曲作用を可能にするために薄い。具体的に、狭バンプ２３０が広開口２２４と狭開口２２６との間の供給フランジ２００の両側に提供される。狭バンプ２３０は、供給フランジ２００が中央ハブ２０８に結合されて固定されるようにする戻り止め特徴部を提供する。
【００２０】
供給フランジ２００は、供給ロール４００と接触するまで中央ハブ２０８上で摺動する。次いで、狭開口２２６内の供給フランジ２００の対向側に位置する垂直な細長い歯２３２が中央ハブ２０８の鋸歯の構成の多数の溝２２０のいずれかと整列する。続いて、ユーザは、垂直方向下に供給フランジ２００を押し下げて、細長い歯２３２が中央ハブ２０８の多数の溝２２０の１セットの対向溝と嵌合することにより、中央ハブ２０８が供給フランジ２００の狭開口２２６に位置するようにする。続いて、戻り止め狭バンプ２３０が供給フランジ２００を中央ハブ２０８に固定するように作用するが、戻り止め狭バンプ２３０はまた、供給フランジ２００を設置方向と反対方向に押し上げることで供給フランジ２００を分離する間に簡単に取り外すこともできる。
【００２１】
供給ロール４００が中央ハブ２０８に載置されて供給フランジ２００に固定されると、支持用組立体２０２がユーザからプリンターハウジングの空洞内に逆にピボットする。こうして、供給紙を供給ロール４００から給紙シュート３００に載置するために容易な接近法が提供される。デュアルポートプリンタ１００が起動すると、センサが供給紙の存在を感知し、給紙シュート３００に供給紙を自動的に供給することに留意すべきである。しかし、ユーザが供給紙を給紙シュート３００に手動で差し込むこともできる。
【００２２】
また、図１７〜図２１に示すように、ロックレバー３０２は給紙シュート３００の幅を調節するために用いることができる。例えば、供給用ガイド３０６の内側面３０４は、一つの組立体としてロックレバー３０２とともに移動し、その結果、ロックレバー３０２が供給用ガイド３０６に回転自在に装着される。具体的に、ロックレバー３０２がロック解除位置にあるとき、供給用ガイド／ロックレバー組立体は、供給用ガイド３０６及び給紙シュート３００の幅を調節するためにガイドトラック３０８に沿って水平に摺動可能である。ガイドトラック３０８は、供給用ガイド３０６の摺動特徴部を収容し、可変幅の提供のために供給用ガイド３０６がガイドトラック３０８に沿って水平に摺動するようにするポケット３１２を含む。そのため、供給用ガイド３０６の内側面３０４は、給紙シュート３００の幅を調節するために、ハンドルとして作用するロックレバー３０２とともに移動する。
【００２３】
所望の幅に達すると、ロックレバー３０２はロック位置に時計回りまたは反時計回りに約９０°回転する。ロックレバー３０２のカム作用に基づいて、ロックレバー３０２が時計回りまたは反時計回りに約９０°回転すると、ガイド３０６の歯３１０はガイドトラック３０８の歯３１０ａと嵌合して適所に保持する。従って、歯３１０が解除されると、ロックレバー３０２はロック解除位置にあり、供給用ガイド／ロックレバー組立体は幅の調節のためにガイドトラック３０８に沿って自由に摺動する。そして、ロックレバー３０２がロック位置に時計回りまたは反時計回りに約９０°回転すると、歯が嵌合することになり、干渉／摩擦抵抗がロックレバー３０２をロック位置に保持し、その後供給用ガイド３０６が適所に保持される。
【００２４】
幅が調節されロックレバー３０２がロック位置に固定されると、給紙シュートの開口は、供給紙を印刷モジュール内に案内する（未図示）。次いで、転写ローラ３１４は、供給紙を印刷モジュール内に案内し、次にユーザは前方ドア１０６を閉鎖して、印刷を開始する。
【００２５】
デュアルポートプリンタ装置１００の構造及び構成が全体的に説明されたため、その作動が図２２〜図４９に示すように議論されるであろう。本発明のデュアルポートプリンタ装置１００の一実施形態を実行するために、ユーザは、まず通常、所望の大きさ及び幅の供給ロール４００をデュアルポートプリンタ装置１００に載置する。デュアルポートプリンタ装置１００は、多様な幅の供給ロール４００を収容するように構成されている。
【００２６】
ユーザは、ヒンジ型前方ドア１０６を開放し、中央ハブ２０８に新たな供給ロール４００を挿入するためにデュアルポートプリンタ１００の内部に接近するように内側供給支持用組立体２０２をピボット式に回転させる。具体的に、ユーザは、タブ２０４を把持し、支持用組立体２０２がデュアルポートプリンタ１００の内部の互いに対向する縁に位置する停止特徴部２０６と接触するまでユーザ側に支持用組立体２０２をピボットする。停止特徴部２０６は、支持用組立体２０２がさらに回転することを防止する。支持用組立体２０２がその重心を超えてピボットすると、支持用組立体２０２は開放位置に留まり、ユーザが供給ロール４００を中央ハブ２０８に容易に載置できるようにする。
【００２７】
続いて、ユーザは、中央ハブ２０８から外側供給フランジ２００を分離し、中央ハブ２０８に供給ロール４００を摺動させる。供給ロール４００は、縁が揃った側面を形成するために一般に中央ハブ２０８上の固定位置にある内側供給フランジ２０１に安着するまで、中央ハブ２０８上で摺動する。次いで、外側供給フランジ２００が中央ハブ２０８上で摺動して、供給ロール４００を適所に保持するように固定される。外側供給フランジ２００の広開口２２４は、供給フランジ２００が回転型中央ハブ２０８の広端部２１４を通って摺動しやすいようにする。ユーザは、供給ロール４００に安着するまで供給フランジ２００の広開口２２４を中央ハブ２０８上で摺動させる。
【００２８】
供給フランジ２００の狭開口２２６の両側に位置する垂直な細長い歯２３２が中央ハブ２０８の鋸歯の構成の多数の溝２２０のいずれかと略整列する。続いて、ユーザは垂直方向下に供給フランジ２００を押し下げて、その結果、細長い歯２３２が中央ハブ２０８の多数の溝２２０の反対側の１セットの溝と嵌合し、次いで、中央ハブ２０８が供給フランジ２００の狭開口２２６に位置する。供給フランジ２００は、戻り止め狭バンプ２３０が内側に偏向し、次いで、供給フランジ２００を中央ハブ２０８上の適所に固定するように作用するまで垂直下方に圧迫される。
【００２９】
供給ロール４００が中央ハブ２０８に載置されて供給フランジ２００に固定されると、続いて、ユーザは、タブ２０４を把持し、プリンタハウジングの空洞内部に向けて支持用組立体２０２を圧迫することにより、支持用組立体２０２をプリンタハウジングの空洞内に逆にピボットする。次いで、ユーザは、供給紙をロール４００から給紙シュート３００に供給する。デュアルポートプリンタ装置１００が起動すると、センサが供給紙の存在を感知し、印刷位置に自動的に供給することに留意すべきである。デュアルポートプリンタ装置１００が起動しなければ、ユーザは供給紙を給紙シュート３００に手動で供給できるが、印刷位置には供給できない。
【００３０】
ユーザは、ロックレバー３０２をロック解除位置に移動させることで給紙シュート３００の幅を調節することができる。ロックレバー３０２がロック解除位置にあれば、ユーザは、可変幅の供給ロールを収容できるように供給用ガイド３０６及び給紙シュート３００の幅を調節するために、ガイドトラック３０８に沿って供給用ガイド３０６／ロックレバー３０２組立体を水平に摺動させることができる。所望の幅に達すると、ユーザはロックレバー３０２をロック位置に約９０°回転させる。ロックレバー３０２がロック位置に９０°回転した場合、ガイドトラック３０８の歯が嵌合することになり、摩擦抵抗がロックレバー３０２をロック位置に保持し、次いで供給用ガイド３０６が所望の幅で適所に保持される。
【００３１】
幅が調節されロックレバー３０２がロック位置に固定されると、続いて、ユーザは、供給紙を給紙シュートの開口に供給することができる。供給紙が給紙シュートの開口に供給されると、給紙シュートは供給紙を印刷モジュールに自動的に案内する（未図示）。具体的に、転写ローラ３１４は、供給紙と接触して印刷モジュールに案内し、次にユーザは、前方ドア１０６を閉鎖して、印刷を開始する。
【００３２】
以上の説明は本発明の例示を含む。もちろん、本発明を説明するための目的として、導出可能な部品と方法との全ての組み合わせを説明することは不可能であるが、当業者は本発明の多様なさらなる組み合わせ及び置換が可能であることを認識するはずである。従って、本発明は、添付の請求の範囲の思想及び範囲内に属する全てのそのような変更例、変形例、並びに修正例を含むよう意図されている。また、「含む（include）」という用語が詳細な説明または請求の範囲で使用される場合、かかる用語は「含む（comprising）」が請求の範囲で転換語として用いられるときに解釈されるように、「含む（comprising）」という用語と同様に包括的であるよう意図されている。
2016504250.tif 000003
2016504250.tif 000004
2016504250.tif 000005
2016504250.tif 000006
2016504250.tif 000007
2016504250.tif 000008
2016504250.tif 000009
2016504250.tif 000010
2016504250.tif 000011
2016504250.tif 000012
2016504250.tif 000013
2016504250.tif 000014
2016504250.tif 000015
2016504250.tif 000016
2016504250.tif 000017
2016504250.tif 000018
2016504250.tif 000019
2016504250.tif 000020
2016504250.tif 000021
2016504250.tif 000022
2016504250.tif 000023
2016504250.tif 000024
2016504250.tif 000025
2016504250.tif 000026
2016504250.tif 000027
2016504250.tif 000028
2016504250.tif 000029
2016504250.tif 000030
2016504250.tif 000031
2016504250.tif 000032
2016504250.tif 000033
2016504250.tif 000034
2016504250.tif 000035
2016504250.tif 000036
2016504250.tif 000037
2016504250.tif 000038
2016504250.tif 000039
2016504250.tif 000040
2016504250.tif 000041
2016504250.tif 000042
2016504250.tif 000043
2016504250.tif 000044
2016504250.tif 000045
2016504250.tif 000046
2016504250.tif 000047
2016504250.tif 000048
2016504250.tif 000049
2016504250.tif 000050
2016504250.tif 000051
【図５２】
2016504250.tif 000052
【手続補正書】
【提出日】平成27年9月30日(2015.9.30)
【手続補正１】
【補正対象書類名】図面
【補正対象項目名】全図
【補正方法】変更
【補正の内容】
【図１５】
2016504250.tif 000053
【図１】
2016504250.tif 000054
【図２】
2016504250.tif 000055
【図３】
2016504250.tif 000056
【図４】
2016504250.tif 000057
【図５】
2016504250.tif 000058
【図６】
2016504250.tif 000059
【図７】
2016504250.tif 000060
【図８】
2016504250.tif 000061
【図９】
2016504250.tif 000062
【図１０】
2016504250.tif 000063
【図１１】
2016504250.tif 000064
【図１２】
2016504250.tif 000065
【図１３】
2016504250.tif 000066
【図１４】
2016504250.tif 000067
【図１６】
2016504250.tif 000068
【図１７】
2016504250.tif 000069
【図１８】
2016504250.tif 000070
【図１９】
2016504250.tif 000071
【図２０】
2016504250.tif 000072
【図２１】
2016504250.tif 000073
【図２２】
2016504250.tif 000074
【図２３】
2016504250.tif 000075
【図２４】
2016504250.tif 000076
【図２５】
2016504250.tif 000077
【図２６】
2016504250.tif 000078
【図２７】
2016504250.tif 000079
【図２８】
2016504250.tif 000080
【図２９】
2016504250.tif 000081
【図３０】
2016504250.tif 000082
【図３１】
2016504250.tif 000083
【図３２】
2016504250.tif 000084
【図３３】
2016504250.tif 000085
【図３４】
2016504250.tif 000086
【図３５】
2016504250.tif 000087
【図３６】
2016504250.tif 000088
【図３７】
2016504250.tif 000089
【図３８】
2016504250.tif 000090
【図３９】
2016504250.tif 000091
【図４０】
2016504250.tif 000092
【図４１】
2016504250.tif 000093
【図４２】
2016504250.tif 000094
【図４３】
2016504250.tif 000095
【図４４】
2016504250.tif 000096
【図４５】
2016504250.tif 000097
【図４６】
2016504250.tif 000098
【図４７Ａ】
2016504250.tif 000099
【図４７Ｂ】
2016504250.tif 000100
【図４７Ｃ】
2016504250.tif 000101
【図４７Ｄ】
2016504250.tif 000102
【図４７Ｅ】
2016504250.tif 000103
【図４８Ａ】
2016504250.tif 000104
【図４８Ｂ】
2016504250.tif 000105
【図４９Ａ】
2016504250.tif 000106
【図４９Ｂ】
2016504250.tif 000107
【図４９Ｃ】
2016504250.tif 000108
【図４９Ｄ】
2016504250.tif 000109
【図４９Ｅ】
2016504250.tif 000110
【図５０Ａ】
2016504250.tif 000111
【図５０Ｂ】
2016504250.tif 000112
【図５１】
2016504250.tif 000113
【図５２Ａ】
2016504250.tif 000114
【図５２Ｂ】
2016504250.tif 000115
【国際調査報告】
2016504250.tif 000116
2016504250.tif 000117
2016504250.tif 000118